(57)【要約】【課題】芯出し作業が風の影響を受けず、かつ、シャッター芯を直接出せる墨出し補助具を提供する。【解決手段】墨出し補助具１０は、シャッターレール５０の開口部５４に差込まれる差込部（墨出し補助具１０）を有する。また、墨出し補助具１０は、幅方向中央において糸４２を前後方向にガイドするガイド手段（ガイド溝３２）を有する。【選択図】図２
2017001159.tif 000002
【特許請求の範囲】
【請求項１】
平断面視で略Ｃ字状に形成されたシャッターレールの開口部に、前後方向がシャッター芯と平行になる向きで差込まれる差込部と、
前記差込部の幅方向中央において前記前後方向に墨出し用糸をガイドするガイド手段と、
を有する墨出し補助具。
【請求項２】
前記ガイド手段として、前記差込部が前記開口部に差込まれた際に土間に接地する底面に形成され、前記差込部の幅方向中央を前記前後方向に延びるガイド溝を有する、
請求項１に記載の墨出し補助具。
【請求項３】
前記差込部の幅寸法よりも幅寸法が小さく形成された墨出し用糸の巻付部を有する、
請求項１又は請求項２に記載の墨出し補助具。
【請求項４】
前記差込部は、前記前後方向に直交する面であると共に前記開口部に差込まれた状態でシャッターレールの奥壁部に接触する接触面を有する、
請求項１〜請求項３の何れか一項に記載の墨出し補助具。
【請求項５】
前記墨出し用糸の外径よりスリット幅が狭く形成され、墨出し用糸を挟み込こむことで固定するスリットを有する、
請求項１〜請求項４の何れか一項に記載の墨出し補助具。
【発明の詳細な説明】
【技術分野】
【０００１】
本発明は、墨出し補助具に関する。
【背景技術】
【０００２】
従来、床面（土間）に対するシャッター芯の墨出し（以下、単に「芯出し」ということがある。）をする場合、下げ振りを用いて行っている。
【先行技術文献】
【特許文献】
【０００３】
【特許文献１】特開２０１３−１１３６５４号公報
【発明の概要】
【発明が解決しようとする課題】
【０００４】
しかしながら、下げ振りを用いて芯出しをする場合、風の影響で下げ振りが安定せず、芯出しに時間がかかることがある。また、下げ振りを垂らす位置をシャッター芯の真上に設定できず、下げ振りが示す位置からオフセットして芯出しを行う必要があった。
【０００５】
本発明は上記事実に鑑み、芯出し作業が風の影響を受けず、かつ、シャッター芯を直接出せる墨出し補助具を提供することを目的とする。
【課題を解決するための手段】
【０００６】
請求項１記載の本発明に係る墨出し補助具は、平断面視で略Ｃ字状に形成されたシャッターレールの開口部に、前後方向がシャッター芯と平行になる向きで差込まれる差込部と、前記差込部の幅方向中央において前記前後方向に墨出し用糸をガイドするガイド手段と、を有する。
【０００７】
この墨出し補助具は、シャッターレールの開口部に、前後方向がシャッター芯と平行になる向きで差込まれる差込部を有する。また、この墨出し補助具は、差込部の幅方向中央において前後方向に墨出し用糸をガイドするガイド手段を有する。したがって、差込部を、差込部の幅と略同一の幅の開口部に差込んだ場合、ガイド手段が墨出し用糸をガイドする位置（差込部の幅方向中央）は、開口部の幅方向中央と一致する。また、前後方向がシャッター芯と平行になる向きで差込まれるので、ガイド手段が糸をガイドする方向（差込部の前後方向）はシャッター芯の方向と一致する。よって、この墨出し補助具２つを対向する一対のシャッターレールの開口部にそれぞれ差込み、一本の墨出し用糸をそれぞれのガイド手段によりガイドさせることで、シャッター芯上に墨出し用糸を張ることができる。
【０００８】
請求項２記載の本発明に係る墨出し補助具は、請求項１記載の墨出し補助具において、前記ガイド手段として、前記差込部が前記開口部に差込まれた際に土間に接地する底面に形成され、前記差込部の幅方向中央を前記前後方向に延びるガイド溝を有する。
【０００９】
この墨出し補助具では、底面が土間に接地されると共に、底面に形成されたガイド溝に糸が収容されてガイドされる。したがって、糸がガイドされた状態で、糸によって墨出し補助具がグラつくことがない。また、糸が土間の表面を這うように張ることになるので、墨出しをするのが容易である。
【００１０】
請求項３記載の本発明に係る墨出し補助具は、請求項１又は請求項２に記載の墨出し補助具において、前記差込部の幅寸法よりも幅寸法が小さく形成された墨出し用糸の巻付部を有する。
【００１１】
この墨出し補助具は、差込部の幅寸法よりも幅寸法が小さく形成された墨出し用糸の巻付部を有する。このため、巻付部に墨出し用糸を巻付けた場合、ある程度の巻付け量であれば、巻付けた糸が差込部の幅寸法からはみ出さない。よって、巻付部に糸を巻付けた状態で、差込部をシャッターレールの開口部に差込むことができる。
【００１２】
請求項４記載の本発明に係る墨出し補助具は、請求項１〜請求項３の何れか一項に記載の墨出し補助具において、前記差込部は、前記前後方向に直交する面であると共に前記開口部に差込まれた状態でシャッターレールの奥壁部に接触する接触面を有する。
【００１３】
この墨出し補助具の差込部は、シャッターレールの開口部に差込まれた状態でシャッターレールの奥壁部に接触する接触面を有する。この接触面は前後方向に直交する面であるため、シャッター芯と直交している奥壁部にこの接触面を接触させることで、差込部の前後方向とシャッター芯の方向とが一致する。したがって、この墨出し補助具では、差込部の前後方向をシャッター芯と平行にするのが容易であり、正確な芯出しを行うことができる。
【００１４】
請求項５記載の本発明に係る墨出し補助具は、請求項１〜請求項４の何れか一項に記載の墨出し補助具において、前記墨出し用糸の外径よりスリット幅が狭く形成され、墨出し用糸を挟み込こむことで固定するスリットを有する。
【００１５】
この墨出し補助具は、墨出し用糸を固定するスリットを有するので、芯出し作業が一人でも行いやすい。
【発明の効果】
【００１６】
以上説明した通り、本発明に係る墨出し補助具は、芯出し作業が風の影響を受けず、かつ、シャッター芯を直接出せるという優れた効果を有する。
【図面の簡単な説明】
【００１７】
【図１】本実施形態の墨出し補助具を示し、（Ａ）は正面図であり、（Ｂ）は側面図であり、（Ｃ）は平面図であり、（Ｄ）は底面図である。
【図２】本実施形態の墨出し補助具の使用状態を模式的に示し、（Ａ）は上方から見た一部断面図であり、（Ｂ）は側方からシャッターレールを省略して見た図である。
【発明を実施するための形態】
【００１８】
以下、図１及び図２を用いて、本発明に係る墨出し補助具の実施形態について説明する。なお、以下の説明では、図１に示す矢印（左右）を墨出し補助具１０の左右方向（幅方向ということもある。）、矢印（上下）を上下方向、矢印（前後）を前後方向（長さ方向ということもある。）とする。
【００１９】
図１（Ａ）〜（Ｄ）には、本実施形態の墨出し補助具１０が示されている。これらの図に示されるように、墨出し補助具１０は、全体として、略直方体形状とされている。墨出し補助具１０は、図２（Ａ）に示されるように、平断面視で略Ｃ字状に形成された一対のシャッターレール５０Ｌ、Ｒが開口部５４を対向させて設けられた施工現場において、シャッター芯の墨出しを行うときに使用される。ここで、シャッター芯とは、一対のシャッターレール５０Ｌ、Ｒの開口部５４の中心同士を繋ぐ仮想的な線又は面をいう。開口部５４とは、断面Ｃ字形状における開口された部分であり、シャッターレール５０の一対の案内部５２の間に形成された部分をいう。
【００２０】
墨出し補助具１０の幅寸法は、芯出しを行うシャッターのシャッターレール５０の開口部５４の幅に略一致させてある（図２（Ａ）参照、例えば、約２０ｍｍ）。また、墨出し補助具１０の長さ寸法は、シャッターレール５０の開口部５４に奥まで差込んだ場合でも、墨出し補助具１０が案内部５２に当接するような長さに設定されている。本実施形態では、墨出し補助具１０の長さ寸法は、シャッターレール５０の深さ方向の寸法の約２倍に設定されている。使用の際には、この略直方体形状の長手方向（前後方向）がシャッター芯の方向と平行になる向きで、墨出し補助具１０がシャッターレール５０の開口部５４に差込まれる（図２（Ａ）参照）。
【００２１】
墨出し補助具１０の前方向の端部には、前方向を向いた面である前面２２が形成されている。前面２２は、前方向に直交する面であり、後述する巻付部１４、導入溝３４及びスリット３８により、合計４つに分断されている。４つの前面２２のうち、２つは墨出し補助具１０の上部１２に形成され、残り２つは墨出し補助具１０の下部１６に形成されている。
【００２２】
墨出し補助具１０の後方向の端部には、後方向を向いた面である後面２４が形成されている。後面２４は、後方向に直交する面であり、後述する巻付部１４、導入溝３４及びスリット３８により、合計４つに分断されている。４つの後面２４のうち、２つは墨出し補助具１０の上部１２に形成され、残り２つは墨出し補助具１０の下部１６に形成されている。
【００２３】
墨出し補助具１０の幅方向の両端には、幅方向外側を向いた面である側面２６が形成されている。側面２６は、幅方向に直交する面であり、使用の際、シャッターレール５０の案内部５２に当接する部分である（図２（Ａ）参照）。側面２６は、後述する巻付部１４を挟んで墨出し補助具１０の上部１２及び下部１６に形成され、合計４つ形成されている。
【００２４】
墨出し補助具１０の上端には、上方を向いた面である上面２８が形成されている。上面２８は、上方向に直交する面である。
【００２５】
墨出し補助具１０の下端には、下方を向いた面である底面３０が形成されている。底面３０は、下方向に直交する面であり、使用の際、土間６０（床）に接地する部分である。底面３０は、平坦な土間６０に墨出し補助具１０を安定して載置できるように、略平らに形成されている。
【００２６】
底面３０には、墨出し補助具１０の幅方向中央を前後方向に延びるガイド溝３２が形成されている。ガイド溝３２は、底面３０に対して上方に窪んだ溝であり、後述する墨出し用の糸４２（以下、単に「糸４２」という。）が収まるようになっている（図２（Ｂ）参照）。
【００２７】
ガイド溝３２の前後方向両端から連続するように、上下方向に延びる導入溝３４が形成されている。導入溝３４は、下部１６の前面２２及び後面２４に対して墨出し補助具１０内側に窪んで合計２つ形成されている。
【００２８】
図１（Ａ）及び（Ｂ）に示されるように、墨出し補助具１０の上下方向中間部分には、糸４２を巻付けるための巻付部１４が形成されている。墨出し補助具１０は、巻付部１４を挟んで、巻付部１４より上方を上部１２、巻付部１４より下方を下部１６とされている。
【００２９】
巻付部１４は、直方体形状をしており、その幅寸法は、左右の側面２６間の寸法（墨出し補助具１０全体の幅寸法）よりも小さく形成されている。また、巻付部１４の長さ寸法も、前面２２と後面２４との間の寸法（墨出し補助具１０全体の長さ寸法）よりも短く形成されている。そして、この巻付部１４と、前面２２、後面２４及び側面２６とは、傾斜面３６により接続されている。
【００３０】
墨出し補助具１０の前端部及び後端部には、上部１２に糸を固定するためのスリット３８が形成されている。スリット３８は、スリット幅が糸４２の外径より狭く形成されており、糸４２を挟み込むことで固定する。スリット３８は、上面２８の幅方向中央を前後方向に沿って形成され、上部１２の前面２２及び後面２４並びに上部１２の傾斜面３６を幅方向中央で分断している。
【００３１】
墨出し補助具１０の前端部及び後端部には、テーパ面４０が形成されている。テーパ面４０は、上部１２及び下部１６の両方に形成されている。前端部のテーパ面４０は、前面２２と側面２６とを接続しており、後端部のテーパ面４０は、後面２４と側面２６とを接続している。これにより、図１（Ｃ）及び（Ｄ）に示されるように、墨出し補助具１０は、平面視及び底面視で前端及び後端が先細になっている。
【００３２】
＜使用の説明＞
次に、墨出し補助具１０を使用して、シャッター芯の墨出しをする方法を説明する。
【００３３】
芯出しを行うためには、墨出し補助具１０が２つと糸４２が１本必要である。なお、糸４２を一方の墨出し補助具１０の巻付部１４に予め巻き付けておくと持運びなどの面で便利である。
【００３４】
まず、一方の墨出し補助具１０Ｌの巻付部１４に巻付けられた糸４２をほどき、一対のシャッターレール５０Ｌ，Ｒ間の距離に対して長めに糸４２を引き出す。次に、一方の墨出し補助具１０Ｌを一方のシャッターレール５０Ｌの開口部５４に差込む。そして、引き出した糸４２の先端付近を他方の墨出し補助具１０Ｒのスリット３８に仮固定し、この他方の墨出し補助具１０Ｒを他方のシャッターレール５０Ｒに差し込む。この状態で糸４２を両方の墨出し補助具１０のガイド溝３２に収めて糸４２を張らせると、糸４２が丁度シャッター芯上に張られることになる。シャッター芯上に張られた糸４２を利用して、土間６０に墨出しを行う。
【００３５】
図２（Ｂ）に示された使用態様を詳述すると、一方の墨出し補助具１０Ｌでは、糸４２が導入溝３４を通り、ガイド溝３２を通って引き出されている。ガイド溝３２は墨出し補助具１０の幅方向中央に形成されているので、引き出された糸４２は墨出し補助具１０の幅方向中央から引き出されている。他方のシャッターレール５０Ｒに差し込まれた他方の墨出し補助具１０Ｒでは、糸４２は、まずガイド溝３２を通り、導入溝３４を介してスリット３８に固定されている。
【００３６】
＜作用及び効果＞
以下、本実施形態の墨出し補助具１０の作用及び効果について説明する。
【００３７】
本実施形態の墨出し補助具１０は、シャッターレール５０の開口部５４に、前後方向がシャッター芯と平行になる向きで差込まれる。また、墨出し補助具１０は、幅方向中央において前後方向に墨出し用糸をガイドするガイド溝３２を有する。したがって、墨出し補助具１０を、墨出し補助具１０の幅と略同一の幅の開口部５４に差込んだ場合、ガイド溝３２が糸４２をガイドする位置は、開口部５４の幅方向中央と一致する。また、前後方向がシャッター芯と平行になる向きで差込まれるので、ガイド溝３２が糸４２をガイドする方向（前後方向）はシャッター芯の方向と一致する。よって、２つの墨出し補助具１０Ｌ、Ｒをを対向する一対のシャッターレール５０Ｌ、Ｒの開口部５４にそれぞれ差込み、一本の墨出し用糸４２をそれぞれのガイド溝３２によりガイドさせることで、シャッター芯上に墨出し用糸４２を張ることができる（図２（Ａ）参照）。
【００３８】
本実施形態の墨出し補助具１０には、土間に接地する底面３０に、墨出し補助具１０の幅方向中央を前後方向に延びるガイド溝３２が形成されている。ガイド溝３２は、底面３０に対して上方に窪んだ溝であり、糸４２が収まるようになっている。このため、ガイド溝３２で糸４２を案内させた状態で、墨出し補助具１０を底面３０を下にして土間６０に載置した場合、墨出し補助具１０がぐらつかずに安定する。また、糸４２が土間６０の表面を這うように張ることになるので、糸４２が高い位置に張られる場合と比較して、土間６０に対して墨出しを行いやすい。なお、ガイド溝３２が本発明の「ガイド手段」に相当する。
【００３９】
墨出し補助具１０の幅寸法、すなわち幅方向両端に形成された側面２６同士の間の距離は、芯出しを行うシャッターレール５０の開口部５４の幅と略同一に設定されている。このため、墨出し補助具１０をシャッターレール５０の開口部５４に差込むと、墨出し補助具１０の側面２６が案内部５２に当接する。その結果、案内部５２との間の摩擦力により差込んだ墨出し補助具１０がある程度固定され、芯出し作業が作業者ひとりであっても行いやすい。つまり、糸４２を張る際などに糸４２に張力が加わっても、差込まれた墨出し補助具１０が不用意に動くことが防止されている。
【００４０】
なお、開口部５４の幅が僅かに広く、墨出し補助具１０の側面２６と案内部５２との間で摩擦力が生じなくてもよい。この場合、墨出し補助具１０がマグネットとしての機能を有していれば、シャッターレール５０に固定することができ、一人作業が容易になる。例えば、マグネットが、前面２２、後面２４又は側面２６に張付けられていてもよいし、また、墨出し補助具１０の一部にマグネットが埋め込まれていてもよい。
【００４１】
また、墨出し補助具１０の幅は、開口部５４の幅よりも若干大きい寸法とされていてもよい。この場合、案内部５２との間の強い摩擦力が生まれ、墨出し補助具１０を強固に固定することができる。本実施形態の墨出し補助具１０は、テーパ面４０を有しているので、墨出し補助具１０の幅に対して開口部５４の幅が小さい場合でもシャッターレール５０の開口部５４に墨出し補助具１０を差込みやすくなっている。
【００４２】
本実施形態の墨出し補助具１０は、前端及び後端に、前後方向に直交する面である前面２２及び後面２４を有する。このため、墨出し補助具１０をシャッターレール５０の奥にまで差込んだ場合、前面２２又は後面２４がシャッターレール５０の奥壁部５６に接触し、墨出し補助具１０が上下方向の軸周りに回転することが防止される。すなわち、墨出し補助具１０の前後方向がシャッター芯と平行に保たれ、その結果、ガイド溝３２に収容された糸４２がシャッター芯からずれることが防止され、正確なシャッター芯の墨出しを行うことができる。なお、これら前面２２及び後面２４が本発明の「接触面」に相当する。
【００４３】
また、本実施形態では、ガイド溝３２の前端及び後端から連続するように、上下方向に延びる導入溝３４が形成されている。このため、導入溝３４を介してガイド溝３２に糸を導きやすくなっている。
【００４４】
また、本実施形態では、巻付部１４の幅寸法は、左右の側面２６間の寸法（墨出し補助具１０全体の幅寸法）よりも小さく設定されている。このため、巻付部１４に糸４２を巻付けた場合でも、ある程度の巻付き量であれば、巻付いた糸４２が墨出し補助具１０の幅寸法からはみ出すことがなく、墨出し補助具１０をシャッターレール５０の開口部５４に差込む際に糸が邪魔にならない。
【００４５】
また、本実施形態では、巻付部１４の長さ寸法は、前面２２と後面２４との間の寸法（墨出し補助具１０全体の長さ寸法）よりも短く設定されている。このため、上述のように糸４２を巻付けた場合でも、墨出し補助具１０をシャッターレール５０の奥にまで挿入することで、前面２２又は後面２４をシャッターレール５０の奥壁部５６に接触させることができる。
〔上記実施形態の補足説明〕
【００４６】
上記実施形態の墨出し補助具１０は、前後方向対称に形成されており、前後方向どちら側からでもシャッターレール５０の開口部５４に差込むことができる。そのため、本実施形態では、墨出し補助具１０の全体が「開口部に、・・・差込まれる差込部」とされている。しかし、本発明の「墨出し補助具」はこれに限られない。例えば、前後対称に形成されておらず、前方向からのみシャッターレール５０の開口部５４に差込まれるようにしてもよい（この場合、墨出し補助具の前部が差込部となる）。
【００４７】
また、上記実施形態では、ガイド手段として、底面３０に形成されたガイド溝３２を説明したが、本発明の「ガイド手段」はこれに限られない。例えば、墨出し補助具１０の幅方向中央を前後方向に延びる貫通孔が、墨出し補助具１０に貫通形成されており、この貫通孔に墨出し用糸４２を挿通させてガイドしてもよい。
【００４８】
また、墨出し補助具１０を用いて芯出しをする方法は、上述した方法以外にも当然可能である。例えば、巻付部１４に糸４２を巻付けておかなくてもよい。また、墨出し補助具１０が使用できるのはシャッターに限られず、開口の両端に墨出し補助具１０が差込み可能な開口部を有する構成であれば、様々なタイプの戸に対し使用可能である。
【００４９】
また、スリット３８は、糸を挟み込んだ状態で糸が完全に固定されるものでなく、多少の力を加えることで挟み込んだままの糸を動かせるものであってよい。この場合、墨出し補助具１０をシャッターレール５０の開口部５４に差込んだ状態で、糸を張る作業が容易となる。
【符号の説明】
【００５０】
１０   墨出し補助具（差込部）
１４   巻付部
２２   前面（接触面）
２４   後面（接触面）
３０   底面
３２   ガイド溝（ガイド手段）
３８   スリット
４２   墨出し用糸
５０   シャッターレール
５６   奥壁部
６０   土間
【図１】
2017001159.tif 000003
【図２】
2017001159.tif 000004